(57)【特許請求の範囲】
【請求項１】
柔軟な材料にて形成された袋体でなり、哺乳瓶を収容した状態にて、容器を起立可能に支持できる程度に広い面積となる底面部と、
前記起立状態において、前記哺乳瓶を収容した収容部から距離を隔てて設けられた開閉部と、
前記袋体の上部に設けられ、前記収容部が加熱されてその内圧が上昇することに応じて、この内圧を調整するための内圧調整手段と
を備え、
前記袋体は、略同じ大きさを備えた柔軟材料でなる第１及び第２のシート体を縦にした状態にて重ね、その両側縁部の上部どうしを固定するとともに、各シート体の下部をそれぞれ外側に折り返し、この第１及び第２のシート体の折り返し片により構成される折り返し体の周縁部に対して、柔軟材料でなる第３のシート体の周縁部が固定されていて、
前記底面部が、該第３のシート体により形成され、該底面部と、前記第１及び第２のシート体の下部により画される空間によって、前記哺乳瓶の収容部が形成されており、
前記内圧調整手段は、前記収容部より上の位置にて前記第１及び第２のシート体の固定部に設けられた貫通孔を有していて、
前記袋体の上部であって、少なくとも開閉部を設けた領域は、これより下部の収容部に対応する領域よりも長さ方向が小さく形成されるとともに、前記袋体の下部の領域が前記内圧調整手段が形成された側とは反対となる一方に突出して形成されており、
前記袋体の下端側縁の前記突出側には、掛止手段を備え、
前記収容部内に、前記哺乳瓶が、その瓶体の開口を前記内圧調整手段側に向けて収容される構成とした
ことを特徴とする哺乳瓶の消毒容器。
【請求項２】
前記第１のシート体と第３のシート体の固定箇所と、前記第２のシート体と第３のシート体の固定箇所の２つの固定箇所どうしを重ねて互いに固定することにより、前記袋体のまち部分を形成したことを特徴とする、請求項１に記載の哺乳瓶の消毒容器。
【請求項３】
前記袋体の上部は、前記開閉部を設けた領域よりも上の部分に、少なくとも手指にてつかむことができる大きさの把持部を備えることを特徴とする、請求項１または２のいずれかに記載の哺乳瓶の消毒容器。
【発明の詳細な説明】
【０００１】
【発明の属する技術分野】
この発明は、哺乳瓶を収容して、電子レンジ内において消毒するための柔軟な袋体でなる哺乳瓶の消毒容器に関するものである。
【０００２】
【従来の技術】
従来、このような消毒用の袋体は、例えば図１３に示すように構成されていた。
図において、消毒袋１は、透明な合成樹脂材料等にて構成された袋本体２と、この袋本体２の一辺に設けられた開閉部３とを備えており、袋本体２の上となる面には、孔４が形成されている。
【０００３】
このような消毒袋１では、袋本体２の上記開閉部３から哺乳瓶Ｂを内部に収容させて、水を入れ、開閉部３を閉めるようになっている。この状態で、消毒袋１を電子レンジ内に収容して加熱すると、袋本体２の内部の温度が上昇し、水が水蒸気となる。このため、哺乳瓶Ｂは、電子レンジによるマイクロ波と、水蒸気により消毒される。また袋本体２の内部で発生した水蒸気は、孔４から外部に排出されるようになっている。
したがって、上記処理の後、使用者は、消毒袋１を電子レンジから取り出して、さらに、袋本体２の開閉部３を開いて哺乳瓶Ｂを取り出すことにより、清潔な哺乳瓶Ｂを使用することができる。
【０００４】
【発明が解決しようとする課題】
ところで、このような消毒袋１の最大の問題は、消毒袋１を電子レンジで加熱すると、消毒袋１は電子レンジの庫内で図１３に示す状態にて収容されて加熱処理されるので、袋本体２の全体が高温となってしまうということである。
このために、使用者が、加熱直後に消毒袋１を電子レンジからとりだそうとすと、高熱の袋本体２に触れなければならないことから、素手で取り出すと火傷するおそれがあった。
したがって、従来の消毒袋１は、電子レンジから取り出すときには、手袋のようなものを装着するか、十分温度が下がるまで、消毒袋１を電子レンジ内に放置するしかなく、きわめて作業性に劣るものであった。
【０００５】
本発明は、このような問題を解決するためになされたもので、電子レンジ内で加熱処理後に直ちに取り出しても火傷をするおそれがない安全で使い勝手に優れた哺乳瓶の消毒容器を提供することを目的としている。
【０００６】
【課題を解決するための手段】
上記目的は、請求項１の発明にあっては、柔軟な材料にて形成された袋体でなり、哺乳瓶を収容した状態にて、容器を起立可能に支持できる程度に広い面積となる底面部と、前記起立状態において、前記哺乳瓶を収容した収容部から距離を隔てて設けられた開閉部と、前記袋体の上部に設けられ、前記収容部が加熱されてその内圧が上昇することに応じて、この内圧を調整するための内圧調整手段とを備えを備え、前記袋体は、略同じ大きさを備えた柔軟材料でなる第１及び第２のシート体を縦にした状態にて重ね、その両側縁部の上部どうしを固定するとともに、各シート体の下部をそれぞれ外側に折り返し、この第１及び第２のシート体の折り返し片により構成される折り返し体の周縁部に対して、柔軟材料でなる第３のシート体の周縁部が固定されていて、前記底面部が、該第３のシート体により形成され、該底面部と、前記第１及び第２のシート体の下部により画される空間によって、前記哺乳瓶の収容部が形成されており、前記内圧調整手段は、前記収容部より上の位置にて前記第１及び第２のシート体の固定部に設けられた貫通孔を有していて、  前記袋体の上部であって、少なくとも開閉部を設けた領域は、これより下部の収容部に対応する領域よりも長さ方向が小さく形成されるとともに、前記袋体の下部の領域が前記内圧調整手段が形成された側とは反対となる一方に突出して形成されており、前記袋体の下端側縁の前記突出側には、掛止手段を備え、前記収容部内に、前記哺乳瓶が、その瓶体の開口を前記内圧調整手段側に向けて収容される構成とした消毒容器により、達成される。
【０００７】
請求項１の発明の構成によれば、本発明の消毒容器は、消毒対象物，例えば哺乳瓶を収容した状態において、底面部に支えられて起立するようになっている。そして、この起立状態において、上記消毒対象物を収容する収容部よりも十分距離を隔てた位置に開閉部が設けられている。
このため、電子レンジ内に本発明の消毒容器をいれて、上記起立状態で加熱処理すると、消毒対象物である上記哺乳瓶及びこれと共に封入した水とが加熱されることにより、高熱となる領域は、前記収容部近傍だけとなる。
また、この収容部から距離を隔てた開閉部の近傍は、温度が極端に上昇しないので、使用者はこの開閉部周辺を持つことによって、加熱処理の直後においても電子レンジ内から消毒容器を取り出すことができる。
さらに、開閉部の近傍は、温度が極端に上昇しないので、加熱直後に消毒容器を電子レンジから取り出して、開閉部を素手により開閉することも可能である。
また、３枚のシート体を用いた比較的簡単な構成により、請求項１にて説明した袋本体、底面部、収容部等を形成することができる。
また、袋体の収容部の長さが長い箇所を内側に折り曲げて、全体を小さく収納しても、袋体上部の開閉部の開閉機構を損なうことがない。
また、前記掛止手段を用いて、袋本体を例えば台所のシンク上方等に掛止する。この場合掛止手段は、袋体の下端側縁付近に設けられているから、袋体は逆さに吊るされることになるので、袋体の上部側縁に設けられた内圧調整手段は下端に位置して下を向くことになる。このため、吊るした状態で内圧調整手段から内部の水をきることが可能となる。
【００１１】
請求項２の発明は、請求項１の構成において、前記第１のシート体と第３のシート体の固定箇所と、前記第２のシート体と第３のシート体の固定箇所の２つの固定箇所どうしを重ねて互いに固定することにより、前記袋体のまち部分を形成していることを特徴とする。
【００１２】
請求項２の構成によれば、上述のようにしてまちの部分を形成することによって、収容部の上部付近に幅方向の余裕を形成することができるので、消毒対象物の収容，取り出しが行い易くなる。
【００１９】
請求項３の発明は、請求項１または２のいずれかの発明の構成において、前記袋体の上部は、前記開閉部を設けた領域よりも上の部分に、少なくとも手指にてつかむことができる大きさの把持部を備えることを特徴とする。
【００２０】
請求項３の構成により、把持部は、使用者に対して、この消毒容器を安全に取り扱うために、把持する箇所を視覚的にも分かりやすく示すことになり、取り扱いの上での安全性がより高められる。
【００２５】
【発明の実施の形態】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２６】
図１は、本発明の第１の実施形態による消毒容器の全体を示す概略分解斜視図である。
図１において、消毒容器（以下、単に「容器」という）１０は、図示のように３枚のシート体の側縁部を互いに固定することにより袋体を形成してなっている。これらのシート体は、例えば柔軟な材質を有し、電子レンジにより必要な出力を所定時間与えられても、溶解しない合成樹脂材料，例えばナイロンやポリエチレンテレフタレート（ＰＥＴ），ポリプロピレン等が適している。本実施形態においては、例えば外側に約１２ミクロンの厚みのＰＥＴを配し、内側にＣＰＰ（ポリプロピレン）の厚み約５０ミクロンの層を配したラミネート材料が用いられている。
【００２７】
上記第１のシート体１１と第２のシート体１２とは同一の形状を有するシート体で、消毒対象の大きさに応じてそのサイズが決定され、例えば縦×横が１５５ｍｍ×２７０ｍｍ程度に形成されることで、主として市販の哺乳瓶を消毒するのに適するようにされている。つまり哺乳瓶等の比較的長い消毒対象物を横にした状態で、後述する袋体の下部に収容できる大きさとされている。
上記第１及び第２のシート体１１，１２の両側縁部には、幅約１０ｍｍ程度の固定しろ１１ａ，１１ａ，１１ｂ，１１ｂと、１２ａ，１２ａ，１２ｂ，１２ｂが形成されており、１１ａ，１１ｂと１２ａ，１２ｂはそれぞれ、各シートの上部及び下部に対応している。また、各シート体１１及び１２は、下縁に沿って固定しろ１１ｃ，１２ｃをそれぞれ備えている。
【００２８】
第３のシート体１３は、上記第１及び第２のシート体１１，１２と同様の材料で形成され、これらの大きさに対応して、例えば縦×横が１４０ｍｍ×２７０ｍｍ程度に形成されている。この第３のシート体１３の周縁に沿って１３ｂ−１，１３ｂ−２，１３ｃ，１３ｃの各固定しろを備えている。尚、シート体１３の奥側にも同様に固定しろ１３ｂ−１，１３ｂ−２が形成されているが、図示の都合上省略する。
【００２９】
第１及び第２のシート体１１，１２は、上記固定しろ１１ａと１１ｂの境界付近どうしを結んだ仮想線Ｌ１に沿って下側を外側に折り返し、それぞれ起立部１７，１６と折り返し片（折り返し部）１４，１５とする。
そして、第１及び第２のシート体１１，１２の折り返し部１４及び１５の周縁部と、第３のシート体１３の周縁部をそれぞれの固定しろにおいて、ヒートシール等の手段により固定する。この場合、第３のシート体１３の固定しろ１３ｂ−１は第１のシート体１４の固定しろ１１ｂと、固定しろ１３ｂ−２は第２のシート体１５の固定しろ１２ｂとそれぞれ固定される。尚、後述する袋体の隅に収容物としての水等が溜まらないようにするために、第３のシート体１３の固定しろ１３ｂ−１は第１のシート体１４の固定しろ１１ｂとが固定されるときに、互いの隅部１３ｄと１５ａも重ねて固定され、同様に第３のシート体１３の他の隅部と第１のシート体１１の他の隅部も固定される。このようにして、図２に示すような、上端が開放された袋体１８が得られる。
【００３０】
図２に示すように、袋体１８は、第１，第２，第３のシート体１１，１２，１３が上記の各周縁部の固定しろを固定されることにより形成され、第３のシート体１３は、水平に拡がった状態で固定されることにより、底部１３となる。第１及び第２のシート体１１，１２は袋体１８の本体を構成する。
【００３１】
すなわち、この袋体１８内に図２のように哺乳瓶等のボトルＢ１，Ｂ２を収容すると、図１の第３のシート体１３は、上記固定後においては、固定しろ１３ｂ−１と固定しろ１３ｂ−２の境界付近が、図２及び図３において袋体１８の中央付近まで上がって袋体１８の側面の一部を構成する。
図２及び図３に示されているように袋体１８の側面においては、上記第１および第２のシート体１１，１２の固定しろ１１ａ，１２ａの固定された部分は、へり部ａとして、第１のシート体１１の固定しろ１１ｂと第３のシート体１３の固定しろ１３ｂ−１との固定部分はへり部ｂ１として、第２のシート体１２の固定しろ１２ｂと第３のシート体１３の固定しろ１３ｂ−２との固定部分は、へり部ｂ２として表れている。
【００３２】
かくして、袋体１８にあっては、ボトルＢ１，Ｂ２を収容することにより、上記第３のシート体１３の幅に対応して、これと一致する幅と、シート体１３の長さよりやや短い長さを備える平らな底部１３が形成されるので、これにより袋体１８は自立可能となる。
また、袋体１８の下部は、底部１３により広げられて、広い内部空間Ｓを有しており、ボトルＢ１，Ｂ２の収容部Ｓとなっている。この収容部Ｓが、第１及び第２のシート体１１，１２の下部に対応し、これより所定距離の高い位置に開閉部１９が設けられている。つまり、上述のように、シート体１１，１２は例えば縦の距離が１５５ｍｍ程度あり、その下部が袋体１８の収容部Ｓに対応し、開閉部１９は、各シート体１１，１２の上端付近に形成されている。このため、収容部Ｓと開閉部１９はかなりの距離を隔てられている。
【００３３】
この開閉部１９は、例えばシート体１１及び１２の一方の内面に設けた凸条と、これと向かい合う他方の内面に設けられ、前記凸条が緊密に入り込む溝との組み合わせによるジッパー形式のファスナーにより形成されている。このファスナー１９は、シート体１１及び１２の内面に一体に形成しても、あるいはシート体１１及び１２の内面にファスナー部材を取り付けることにより形成してもよい。これによって、消毒容器１０の上端付近において、上方に開口できる開閉部を設けることができる。
【００３４】
また、図１に示すように、袋体１８の上端付近の好ましくは両側縁、具体的には、上述したへり部ａ，ａにそれぞれ二つの内圧調整手段２１，２１が設けられている。
この内圧調整手段２１は、具体的には、図４に示されているように、開閉部１９よりやや下の位置において、上記へり部ａの２枚のシート体１１及び１２の固定しろの間を貫通して設けられている。
具体的には、この内圧調整手段２１は、上記へり部ａを内側に向かってやや狭くなるように切除した切欠き部２１ｂと、この切欠き部２１ｂから内側に向かって連設され、袋体１８の内側に開口する貫通孔２１ａでなっている。
ここで、へり部ａの斜線にて示す領域は固着されており、図示されているように貫通孔２１ａは、内側にいくに従って孔径が徐々に広く大きくなるようにして、外部と収容部Ｓとを連通させている。
【００３５】
このように、切欠き部２１ｂが内側に向かって斜めに切除されているから、消毒容器１０の袋体１８に無理な力が働いた場合に、切欠き部２１ｂと貫通孔２１ａとの境界付近にその応力が集中しにくくなり、この箇所が裂けることが有効に防止される。
また、上記貫通孔２１ａは、２枚のシート体のへり部分の重なった箇所に設けられているので、袋体１８内の圧力が低い状態においては、この部分が塞がっていて、内圧が高まると開く弁効果を備えている。
また、袋体１８内に消毒対象物が収容されることにより、図４において、シート体１２とその背後に存在するシート体１３が外側に広がると、へり部ａの内側境界付近は閉じようとする。ここで、上記貫通孔２１ａは、このへり部ａの内側で円錐状に延びているので、へり部ａの内側境界で折れ曲がることがなく、このため、貫通項２１ａが閉じることがないようになっている。
以上により、内圧調整手段２１は、袋体１８の内圧が低いときには閉じていて、その内圧が高まると開いて蒸気を排出し、かつ袋体１８内に収容物がはいって膨らんだときに、貫通項２１ａが閉じてしまわないという機能を備えている。
【００３６】
さらに、好ましくは、図２に示すように、底部１３の隅部に掛止部２２が設けられている。この掛止部２２は、例えば図１に示した第２のシート体１２の折り返し片１５の手前側の下端隅部と第３のシート体１３の手前側の隅部に設けた孔２２ｂ，２２ｂを重ねて、この孔２２ｂに掛止リング２２ａを通すことにより形成されている。
【００３７】
本発明の第１の実施形態による消毒容器１０は以上のように構成されており、その使用方法とともに作用を説明する。
図２において、消毒容器１０の開閉部１９を開いて、ボトルＢ１，Ｂ２を図示されているように横にした状態で袋体１８の下部に収容するとともに、図示しない人口乳首等を一緒に入れると、第３のシート体１３が各ボトルＢ１，Ｂ２の長さ方向に力を受けるとともに、両ボトルＢ１，Ｂ２のそれぞれの太さの方向に広げられるので、袋体１８は下部がひろがり、開閉部１９を上に臨ませて起立する状態となる。
さらに、袋体１８の収容部Ｓ内に水を例えば７０ｃｃ程度入れて、開閉部１９を閉じる。
【００３８】
次いで、図２に示されている状態で、図示しない電子レンジの庫内に差し入れて、例えば３分程度加熱する。これにより、各ボトルＢ１，Ｂ２や人口乳首は、電子レンジによるマイクロ波により加熱消毒される。また、このマイクロ波は、水を沸騰させて水蒸気を発生し、各ボトルＢ１，Ｂ２等を高温殺菌消毒する。この時、収容部Ｓ内にて蒸気の発生や加熱された空気により高まった高温の空気と蒸気は、収容部Ｓ内を上昇して、各内圧調整手段の貫通孔２１ａ，２１ａから外部に排出される。これにより、内部の気圧が極端に高まって、袋体１８を破損させることが防止される。
【００３９】
電子レンジが停止したら、使用者は、袋体１８の上端付近を持って外へ出す。このとき、開閉部１９付近は、収容部Ｓよりも高い位置にあり、蒸気を発生させるために入れた水は収容部Ｓの下の方にボトルＢ１，Ｂ２等とともにある。このため、袋体１８の上端付近には、高温の水もないことから、加熱した水によりこの付近が異常に高温となっておらず、取り扱いの上で火傷を負う危険がない。しかも、電子レンジ停止直後に消毒容器１０を外に出すと、消毒容器１０の内部にはまだ蒸気が存在するが、この高温の蒸気は貫通孔２１ａ，２１ａから側方に排出されるから、袋体１８の上端付近に高温の蒸気が吹きつけることがなく、この点においても安全である。
【００４０】
次いで、ボトルＢ１，Ｂ２等を直ぐに使用する場合には、開閉部１９を開いて、ボトルＢ１，Ｂ２等を注意して取り出し、あるいは開閉部１９を開いて、温度の低い外気に触れさせてひやしてから、ボトルＢ１，Ｂ２等を取り出す。
このように、本実施形態の消毒容器１０では、従来と比較すると、消毒容器１０を電子レンジから取り出す際に火傷を負う危険がなく、きわめて安全であり、消毒後、迅速に消毒対象物を利用できる。
【００４１】
さらに、上記ボトルＢ１，Ｂ２等を直ぐに利用しない場合には、消毒容器１０内の温水を、内圧調整手段２１の貫通孔２１ａを介して、台所のシンク内等に棄てて、その後、図５に示すように、消毒容器１０掛止部２２の掛止リング２２ａを台所等のシンク上のフック等を利用して掛け止める。
したがって、消毒容器１０を熱処理後、高温の水を捨ててから、直ちに上述のように掛止すれば、水切りした状態で、ボトルＢ１，Ｂ２等の使用時まで清潔かつ簡単に保管できる。
【００４２】
ところで、第１の実施形態の消毒容器１０では、袋体１８は、第１，第２，第３のシート体１１，１２，１３が上記の各周縁部の固定しろを固定されることにより形成され、第３のシート体１３は、水平に拡がった状態で固定されることにより、底部１３とされている。そして、第１及び第２のシート体１１，１２は袋体１８の本体を構成し、この袋体１８内に図１のように哺乳瓶等のボトルＢ１，Ｂ２を収容すると、図１の第３のシート体１３は、上記固定後においては、固定しろ１３ｂ−１と固定しろ１３ｂ−２の境界付近が、図２及び図３において袋体１８の中央付近まで上がって袋体１８の側面の一部を構成するようにしている。このようにして、構成された袋体１８では、図２の消毒容器１０において、固定しろ１３ｂ−１と固定しろ１３ｂ−２の境界付近において、幅Ｗ１がやや狭められるという欠点がある。また、袋体１８の収容部Ｓにボトル等を収容すると、収容部Ｓに対応した袋体１８の下部領域は、幅方向に広がり、その分長さが縮むが、開閉部１９付近では、このような変化が起こらず、結局、消毒容器１０の上部では、必要以上の長さを有してしまうことになり、全体をコンパクトに形成できない。そこで、つぎのようにして、袋体１８を構成する。
【００４３】
図６において、消毒容器１０の側面部のへり部ｂ１とｂ２とを重ね合わせて固着し、図７に示すように、袋体１８が幅方向に拡がったときに、このｂ１，ｂ２部分が矢印に示すように斜めに上昇してまち部分を形成し、袋体１８の上部が幅方向に拡がることを規制しないようにする。
【００４４】
図８ないし図１０はこのようにして形成した第２の実施形態の消毒容器３０を示している。これらの図において、第１の実施形態の消毒容器１０と同一の符号を付した箇所は同様の構成であるから、重複する説明は省略し、相違点を中心に以下説明する。
図６及び図７にて示した方法によりへり部ｂ１とｂ２とを重合して固着し、図９及び図１０に示すように、袋体１８がボトルＢ１，Ｂ２を収容することにより横方向に拡がった場合に生じる両側面の三角形部分３１，３１をまち部として内側に折り返す。これにより、底部１３は、ほぼ長方形の底部となり、固定しろ１３ｂ−１と固定しろ１３ｂ−２の境界付近に無理な力が働いてくびれることがなく、袋体１８の収容部Ｓは広くなる。
一方、このような広い収容部Ｓを形成するためには、図８の正面図に示すように、第１及び第２のシート体１１，１２の横方向の長さＬ２は、第１の実施形態の消毒容器１０の対応箇所よりやや長くする必要がある。これにより、Ｌ２が長く延びた分だけ、袋体１８は図１０に示すまち部３１の内側に入り込む分をかせぐことができ、その分自由に幅方向に拡がるが、袋体１８の長手方向は長くならないで済む。
【００４５】
さらに、図８に示されているように、第１のシート体１１と第２のシート体１２の各側縁部の上部どうしを重ねて固定た箇所ａは、上方に向かって次第に内側に傾斜するように構成されている。そして、開閉部１９に対応した横方向長さＬ３は消毒対象であるボトルＢ１，Ｂ２の長さよりも僅かに長く設定されている。つまり、袋体１８は収容部Ｓにボトル等が収容されても、下部領域が幅方向に広がるために、その長さ方向を長くしてあるが、開閉部１９付近はボトル等の収容の影響を受けないので幅方向に広がる必要はない。したがって、その分長さ方向に寸法を長くしておく必要はないのである。
このようにすることで、袋体１８内にボトル等を収容した状態においては、開閉部１９付近と袋体１８の下部付近では、その長さが殆ど変わらず、全体として、消毒対象物を収容するのに最低の長さに押さえることができる。この結果、消毒容器１０をコンパクトに形成でき、電子レンジ等に入れた場合にも、庫内で周囲の壁部等に干渉することなく、ターンテーブル状で加熱されることができる。
【００４６】
また、図８に示されてるように、消毒容器３０の一方のへり部ａには、使用回数ゲージ３３が設けられている。
この使用回数ゲージ３３は、例えば第１及び第２のシート体と同様の材質で構成されている。そして、例えば使用回数単位毎に切り込みをいれた切除片でなる小片３３ａ，３３ｂを連設して、上記へり部ａに固定されている。この小片の数は、消毒容器３０の耐用使用回数に対応している。このましくは各切除片には、使用回数に対応した数字を印刷しておくことができる。
これにより、使用者は、消毒容器３０を一度使用したら、小片をひとつづつ切除する。この小片がなくなるまで、消毒容器３０を使用できるので、使用者は、別の消毒容器３０を用意するための適切な時期を知ることができる。
【００４７】
さらに、消毒容器３０の袋体１８の縦方向に沿って、温度検出可能な着色材料を塗布しもよい（図示せず）。このような着色材料は、周囲温度の変化に対応して特定の色を発色するものであり、例えばサーモインク等を好適に使用することができる。
このようにすることで、使用者は、袋体１８の部位に対応して温度分布を見るこができ、電子レンジによる処理時間の確認や、取り扱いの上での安全確認等に役立てるこができる。
【００４８】
以上の構成により、第２の実施形態による消毒容器３０は、第１の実施形態の消毒容器１０と同様の作用効果を発揮するとともに、全体をコンパクトに形成でき、さらに、開閉部１９を介して、上記ボトルＢ１，Ｂ２は、簡単に出し入れ出来るとともに、袋体１８の収容部Ｓは広い幅を有しているので、内部にてボトル等の位置決めが容易であり、消毒対象が一層あつかいやすくなる。
【００４９】
図１１及び図１２は、本発明の消毒容器の第３の実施形態を示しており、図１１はその概略正面図、図１２はその概略斜視図である。
これらの図において、第１及び第２の実施形態と同じ符号を付した箇所は、これらと同じ構成であるから重複する説明は省略し、相違点を中心に説明する。
【００５０】
この第３の実施形態の消毒容器４０では、袋体４８の形状が上述の各実施形態と異なっている。すなわち、図１１に示すように袋体４８は、その上部が長さ方向に小さく形成されている。この長さ方向が小さく形成された箇所に開閉部１９が設けられている。
消毒容器４０を形成する上記シート体４１及び４２は、図１に示した各シート体１１及び１２と同様の材質であるが、図１１及び図１２に示す形状に対応した形状とされている点のみが異なる。また、第３のシート体１３はこの実施形態でも同様の形状のものが用いられている。
【００５１】
上記開閉部１９は、上述の各実施形態と同様に、例えばシート体４１及び４２の一方の内面に設けた凸条と、これと向かい合う他方の内面に設けられ、前記凸条が緊密に入り込む溝との組み合わせによるジッパー形式のファスナーにより形成されている。
【００５２】
さらに、袋体４８の上記開閉部１９よりも上の領域に関しては、例えば図１１の距離ｈ１に対応する部分ＦＰを形成して、把持部としている。この把持部ＦＰ各シート体４１，４２と一体に形成されている。
この把持部ＦＰは次のような機能がある。すなわち、消毒容器４０内に水を収容して、電子レンジ内で加熱したときに、特に開閉部１９より上には水蒸気がまったく到達しないことから、この開閉部１９より上に手指にてつかむことができる大きさｈ１だけシート体４１，４２を残して把持部ＦＰとすることで、消毒直後に袋体４８を把持部ＦＰにて安全につかむことができる。これにより、消毒容器４０の取り扱いがさらに安全となる。
このように、把持部ＦＰは、使用者に対して、この消毒容器を安全に取り扱うために、把持する箇所を視覚的にも分かりやすく示すことになり、取り扱いの上での安全性がより高められる。
【００５３】
この消毒容器４０では、図１１の左側において、袋体４８の上部であって、開閉部１９のすぐ下の箇所の縁部に、ひとつの内圧調整手段２１が設けられている。この内圧調整手段２１の構造は図４のものと全く同じである。
これに対して、この内圧調整手段２１とは反対側の下端部に、掛止部２２が設けられている。この掛止部２２は、例えば第２のシート体４２の折り返し片（図１の説明参照）の手前側の下端隅部と第３のシート体１３の手前側の隅部に設けた孔２２ｂ，２２ｂを重ねて、この孔２２ｂに掛止リング２２ａを通すことにより形成されている。したがって、掛止手段２２も、これを形成する箇所が、上記内圧調整手段２１の反対側の端部であるという点を除き、第１及び第２の実施形態と同じ構成である。
【００５４】
この消毒容器４０は以上の構成であるから、第１及び第２の実施形態と同じ作用効果を備えており、全く同様に使用できるが、さらに、次のような機能を備えている。
図１１において、袋体４８の下部の収容部Ｓ１は、上部に開閉部１９が形成されていないで、袋体だけが側方に突出した領域が形成されている。つまり、収容部Ｓ１はこの突出分である図１１のＷ１だけ、袋体４８の上部より長く形成されている。
【００５５】
この収容部Ｓ１は、後述するようにして哺乳瓶等の消毒対象物を収容するのに必要な長さを備えているが、開閉部１９に対応した袋体４８の上部領域はこれよりも短くされている。つまり、収容部Ｓ１内に消毒対象物を差し入れるときには、これを斜めにして入れて、袋体４８内部で、その長さ方向を収容部Ｓ１の長さ方向に揃えることで、消毒対象物の出し入れは、第１及び第２の実施形態の容器と同じようにすることができる。
【００５６】
一方、開閉部１９は、袋体４８の上部を相対的に短くした分だけ短くなるので、この消毒容器４０の販売の際には、図１１の点線ＭＬに沿って製品を折り曲げることが可能となる。つまり、第１及び第２の実施形態であると、製品を折り畳もうとすると、長い開閉部を途中で折ることになる。しかし、開閉部１９が上記のようにジッパー形式の開閉可能なフォスナー等で構成されていると、これを途中で折り曲げることで、性能を損なう場合がある。
しかしながら、この消毒容器４０では、上記点線ＭＬに沿って製品を折り畳んでも、開閉部１９を折り曲げることにはならないので、開閉部１９の機能を損なうことなくコンパクトに収容して、輸送や保管等をすることが可能となる。
【００５７】
図１２は、この消毒容器４０に哺乳瓶Ｂ１，Ｂ２を収容した状態を示しており、図１１とは左右の向きが逆に示されているが、その構造は同じである。
図において、この消毒容器４０では、消毒対象として瓶体Ｂ１，Ｂ２を消毒する場合には、各瓶体の開口を図示のように内圧調整手段２１側に向けて収容部Ｓ１内に収容する。
これにより、消毒後は、上述の把持部ＦＰを持って電子レンジの庫内から取り出し、掛止手段２２を図５に示したのと同じ要領で掛止すると、袋体４８内に残った水は、内圧調整手段２１の貫通孔から外部に棄てることができる。
【００５８】
この発明は上述の実施形態に限定されない。
消毒容器の袋体は、３枚のシートだけでなく、各シートをさらに複数枚のシートに分離して構成してもよい。
また、第１の実施形態の消毒容器にも使用回数ゲージや温度を知るための着色を施してもよく、また、第１及び第２の実施形態において、袋体上部に把持部を形成してもよいことは勿論である。
さらに、開閉部は上述と異なる種々の構成を適用してもよい。
さらにまた、掛止部は、リングではなく、貫通孔だけで構成してもよい。
また、第３の実施形態の消毒容器４０に、図１０のようなまち部３１を形成する場合もしない場合も本発明が適用できる。
【００５９】
【発明の効果】
以上述べたように、本発明によれば、電子レンジ内で加熱処理後に直ちに取り出しても火傷をするおそれがない安全で使い勝手に優れた消毒容器を提供することができる。
【図面の簡単な説明】
【図１】本発明による消毒容器の第１の実施の形態の構造を示す概略分解斜視図である。
【図２】図１の消毒容器の概略斜視図である。
【図３】図１の消毒容器の概略側面図である。
【図４】図１の消毒容器の内圧調整手段の構造を示す説明図である。
【図５】図１の消毒容器の使用状態の一例を示す説明図である。
【図６】本発明の第２の実施形態に係る消毒容器の構成の説明図である。
【図７】本発明の第２の実施形態に係る消毒容器の構成の説明図である。
【図８】本発明の第２の実施形態に係る消毒容器の概略正面図である。
【図９】図８の消毒容器の概略斜視図である。
【図１０】図８の消毒容器の概略底面図である。
【図１１】本発明の第３の実施形態に係る消毒容器の概略正面図である。
【図１２】図１１の消毒容器の概略斜視図である。
【図１３】従来の消毒容器の一例を示す斜視図である。
【符号の説明】
１０・・・消毒容器、１１・・・第１のシート体、１２・・・第２のシート体、１３・・・第３のシート体、１４，１５・・・折り返し片、１８・・・袋体、１９・・・開閉部、２１・・・内圧調整手段、ａ，ｂ１，ｂ２・・・へり部。
【図１】
0003942251.tif 000002
【図２】
0003942251.tif 000003
【図３】
0003942251.tif 000004
【図４】
0003942251.tif 000005
【図５】
0003942251.tif 000006
【図６】
0003942251.tif 000007
【図７】
0003942251.tif 000008
【図８】
0003942251.tif 000009
【図９】
0003942251.tif 000010
【図１０】
0003942251.tif 000011
【図１１】
0003942251.tif 000012
【図１２】
0003942251.tif 000013
【図１３】
0003942251.tif 000014